(57)【要約】【課題】患者の患者確認事項の確認忘れ等を防止する。【解決手段】病室に設置され患者が看護師を呼出すためのナースコール子機と、廊下に設置されナースコール子機から呼出しがあったとき呼出表示灯が点滅する廊下灯と、ナースステーションに設置されナースコール子機からの呼出しを報知するとともに患者と通話を行なうためのタッチパネル付表示部を有するナースコール親機と、廊下灯およびナースコール親機を制御する制御機とを有するナースコールシステムにおいて、ナースコール親機のタッチパネル付表示部４２は、患者の氏名、性別等の患者情報、患者の看護区分、診療科目等の看護情報のうち少なくとも一つを患者毎に表示するための患者表示領域４２ａを有し、ナースコール親機は、患者の手術予定、退院予定、注意事項等の患者確認事項の有無を患者表示領域において視認させるアイコン（患者確認事項視認手段）４２０ｂを有する。【選択図】図３
2004304552.tif 000002
【特許請求の範囲】
【請求項１】
病室に設置され患者が看護師を呼出すためのナースコール子機（１ａ、・・・、１ｄ）と、廊下に設置され前記ナースコール子機から呼出しがあったとき呼出表示灯（２１）が点滅する廊下灯（２ａ、２ｂ、・・・）と、ナースステーションに設置され前記ナースコール子機からの呼出しを報知するとともに前記患者と通話を行なうためのタッチパネル付表示部（４２）を有するナースコール親機（４）と、前記廊下灯および前記ナースコール親機を制御する制御機（３）とを有し、
前記ナースコール親機のタッチパネル付表示部は、前記患者の氏名、性別等の患者情報、前記患者の看護区分、診療科目等の看護情報のうち少なくとも一つを患者毎に表示するための患者表示領域（４２ａ）を有し、
前記ナースコール親機は、前記患者の手術予定、退院予定、注意事項等の患者確認事項の有無を前記患者表示領域において視認させる患者確認事項視認手段（４２０ｂ）を有することを特徴とするナースコールシステム。
【請求項２】
前記患者確認事項視認手段として、前記患者表示領域にアイコン（４２０ｂ）を表示することを特徴とする請求項１記載のナースコールシステム。
【請求項３】
前記患者確認事項視認手段として、前記患者表示領域の表示色を前記患者確認事項の有無に応じて異なる色で表示することを特徴とする請求項１記載のナースコールシステム。
【請求項４】
前記ナースコール親機は、前記患者確認事項を記憶するデータベース（４３）を有し、前記患者表示領域に前記患者確認事項の有無を表示するにあたり、前記タッチパネル付表示部の前記アイコンまたは前記患者表示領域をタッチ操作することにより、前記データベースから前記患者確認事項を読み出して前記タッチパネル付表示部に表示させるものであることを特徴とする請求項２又は請求項３記載のナースコールシステム。
【請求項５】
前記データベースから前記患者確認事項を読み出して前記タッチパネル付表示部にポップアップにて表示を行なうことを特徴とする請求項４記載のナースコールシステム。
【請求項６】
前記データベースに記憶される前記患者確認事項は、前記患者確認事項が予め記憶されているオーダリングシステム（５）のデータを転送したものであることを特徴とする請求項４または請求項５記載のナースコールシステム。
【請求項７】
前記タッチパネル付表示部の前記アイコンまたは前記患者表示領域は、前記ナースコール親機に予め記憶されている色から選択された表示色とすることを特徴とする請求項２乃至請求項６何れか１項記載のナースコールシステム。
【請求項８】
前記データベースに前記患者確認事項が入力されたとき、前記患者表示領域に前記アイコンの表示または前記患者表示領域の色の変更を行なうことを特徴とする請求項４乃至請求項７何れか１項記載のナースコールシステム。
【請求項９】
前記患者確認事項視認手段は、予め定められた時間のみ表示させるものであることを特徴とする請求項１乃至請求項８何れか１項記載のナースコールシステム。
【請求項１０】
前記予め定められた時間は、患者ごとに設定可能であることを特徴とする請求項９記載のナースコールシステム。
【請求項１１】
前記アイコンには、前記患者確認事項の一部または全部が表示されることを特徴とする請求項２乃至請求項１０何れか１項記載のナースコールシステム。
【請求項１２】
前記ナースコール親機は、前記タッチパネル付表示部の前記アイコンをタッチ操作して前記データベースの前記患者確認事項を確認した後に、前記アイコンを消去することを特徴とする請求項４乃至請求項１１何れか１項記載のナースコールシステム。
【請求項１３】
前記ナースコール親機は、前記タッチパネル付表示部をタッチ操作して前記データベースの前記患者確認事項を確認した後に、前記患者確認事項が無い場合の表示色へ変更することを特徴とする請求項４乃至請求項１２何れか１項記載のナースコールシステム。
【請求項１４】
前記ナースコール親機は、前記タッチパネル付表示部の前記アイコンまたは前記患者表示領域を所定時間以上操作しない場合に警告音を放音することを特徴とする請求項４乃至請求項１３何れか１項記載のナースコールシステム。
【請求項１５】
前記ナースコール親機は、前記タッチパネル付表示部の前記アイコンまたは前記患者表示領域を所定時間以上操作しない場合に前記アイコンまたは前記患者表示領域を点滅させることを特徴とする請求項４乃至請求項１４何れか１項記載のナースコールシステム。
【請求項１６】
病室に設置され患者が看護師を呼出すためのナースコール子機（１ａ・・・１ｄ）と、廊下に設置され前記ナースコール子機から呼出しがあったとき呼出表示灯（２１）が点滅する廊下灯（２ａ、２ｂ、・・・）と、ナースステーションに設置され前記ナースコール子機からの呼出しを報知するとともに前記患者と通話を行なうためのタッチパネル付表示部（４２）を有するナースコール親機（４）と、前記廊下灯および前記ナースコール親機を制御する制御機（３）とを有し、前記ナースコール親機は、医師または看護師確認事項の有無を医師・看護表示領域（４２ｃ）において視認させる医師・看護師確認事項視認手段（４２０ｃ）を有することを特徴とするナースコールシステム。
【請求項１７】
前記医師・看護師確認事項視認手段として、前記医師・看護表示領域にアイコン（４２０ｃ）を表示することを特徴とする請求項１６記載のナースコールシステム。
【請求項１８】
前記医師・看護師確認事項視認手段として、前記医師・看護表示領域の表示色を前記医師または看護師確認事項の有無に応じて異なる色で表示することを特徴とする請求項１６記載のナースコールシステム。
【請求項１９】
前記ナースコール親機は、前記医師または看護師確認事項を記憶するデータベース（４３）を有し、前記医師・看護表示領域に前記医師または看護師確認事項の有無を表示するにあたり、前記タッチパネル付表示部の前記アイコンまたは前記医師・看護表示領域をタッチ操作することにより、前記データベースから前記医師または看護師確認事項を読み出して前記タッチパネル付表示部に表示させることを特徴とする請求項１７又は請求項１８記載のナースコールシステム。
【請求項２０】
前記データベースから前記医師または看護師確認事項を読み出して前記タッチパネル付表示部にポップアップにて表示を行なうことを特徴とする請求項１９記載のナースコールシステム。
【請求項２１】
前記データベースに記憶される前記医師または看護師確認事項は、前記医師または看護師確認事項が予め記憶されているオーダリングシステム（５）のデータを転送したものであることを特徴とする請求項１９または請求項２０記載のナースコールシステム。
【請求項２２】
前記タッチパネル付表示部の前記アイコンまたは前記医師・看護表示領域は、前記ナースコール親機に予め記憶されている色から選択された表示色とすることを特徴とする請求項１７乃至請求項２１何れか１項記載のナースコールシステム。
【請求項２３】
前記データベースに前記医師または看護師確認事項が入力されたとき、前記医師・看護表示領域に前記アイコンの表示または前記医師・看護表示領域の色の変更を行なうことを特徴とする請求項１９乃至請求項２２何れか１項記載のナースコールシステム。
【請求項２４】
前記医師・看護師確認事項視認手段は、予め定められた時間のみ表示させるものであることを特徴とする請求項１６乃至請求項２３何れか１項記載のナースコールシステム。
【請求項２５】
前記予め定められた時間は、医師または看護師ごとに設定可能であることを特徴とする請求項２４記載のナースコールシステム。
【請求項２６】
前記アイコンには、前記医師または看護師確認事項の一部または全部が表示されることを特徴とする請求項１７乃至請求項２５何れか１項記載のナースコールシステム。
【請求項２７】
前記ナースコール親機は、前記タッチパネル付表示部の前記アイコンをタッチ操作して前記データベースの前記医師または看護師確認事項を確認した後に、前記アイコンを消去することを特徴とする請求項１９乃至請求項２６何れか１項記載のナースコールシステム。
【請求項２８】
前記ナースコール親機は、前記タッチパネル付表示部をタッチ操作して前記データベースの前記医師または看護師確認事項を確認した後に、前記医師または看護師確認事項が無い場合の表示色へ変更することを特徴とする請求項１９乃至請求項２７何れか１項記載のナースコールシステム。
【請求項２９】
前記ナースコール親機は、前記タッチパネル付表示部の前記アイコンまたは前記医師・看護表示領域を所定時間以上操作しない場合に警告音を放音することを特徴とする請求項１９乃至請求項２８何れか１項記載のナースコールシステム。
【請求項３０】
前記ナースコール親機は、前記タッチパネル付表示部の前記アイコンまたは前記医師・看護表示領域を所定時間以上操作しない場合に前記アイコンまたは前記医師・看護表示領域を点滅させることを特徴とする請求項１９乃至請求項２９何れか１項記載のナースコールシステム。
【発明の詳細な説明】
【０００１】
【発明の属する技術分野】
本発明は、ナースコールシステムに係わり、特に看護師等に対して患者の手術予定、退院予定、注意事項等の患者確認事項の有無を容易に視認させることができるナースコールシステムに関する。
【０００２】
【従来の技術】
従来から、この種のナースコールシステムとして、ナースコール親機をデータ処理および各種制御をするための制御機を介して、廊下灯から幹線により患者用子機に接続し、患者用子機を液晶タッチパネルディスプレイからなる表示部を備えた患者用情報端末に接続して成るものが知られている（例えば、特許文献１参照）。
【０００３】
ここで、患者用情報端末は、ナースコール使用時に、ナースコール親機を呼出す目的に対応した選択肢を予め液晶タッチパネルディスプレイ上に表示し、その１つにタッチして選択肢を選択し目的別呼出しを実行するためのメニュー画面を備えている。
【０００４】
このような構成のナースコールシステムによれば、病床の患者は、ナースコール使用時において患者用情報端末を構成する液晶タッチパネルディスプレイ上に予め表示されているメニュー画面の呼出しの目的に該当した選択肢をタッチ操作することにより、看護師側に対して目的別呼出しを実行することができ、ひいては当該目的別呼出時における際の操作性および利便性を向上させることができると共に、夜間時等の発声が不要となりプライバシー保護の効果を有する。また、看護人等は、ナースコール親機を構成する目的別呼出情報表示部に表示された情報画面に基づいて、目的別呼出しを実行した病床の患者および目的の内容を確認することができると共に、この呼出しに対応すべき医師、看護婦、准看護婦等の人員、患者情報等も併せて確認でき、ひいては迅速な対応が可能となり看護業務の能率の向上を図ることができる。
【０００５】
【特許文献１】特開２００２−１３２９２９号公報  （段落番号「０００６」、「００１８」、図１〜図３）
【０００６】
【発明が解決しようとする課題】
しかしながら、このような構成のナースコールシステムにおいては、看護師等が患者の手術予定、退院予定、注意事項等の有無を確認するためには、患者のカルテを見るか、若しくは自己の意思によりデータベースにアクセスしてデータベースに保存されている患者確認事項を確認しなければならないことから、患者の確認忘れ等が起こるという難点があった。
【０００７】
本発明は、このような難点を解決するためになされたもので、看護師等に対して患者の手術予定、退院予定、注意事項等の患者確認事項の有無を容易に視認させ、ひいては患者の確認忘れ等を防止することができるナースコールシステムを提供することを目的としている。
【０００８】
【課題を解決するための手段】
上記の目的を達成するため、本発明のナースコールシステムは、病室に設置され患者が看護師を呼出すためのナースコール子機と、廊下に設置されナースコール子機から呼出しがあったとき呼出表示灯が点滅する廊下灯と、ナースステーションに設置されナースコール子機からの呼出しを報知するとともに患者と通話を行なうためのタッチパネル付表示部を有するナースコール親機と、廊下灯およびナースコール親機を制御する制御機とを有し、ナースコール親機のタッチパネル付表示部は、患者の氏名、性別等の患者情報、患者の看護区分、診療科目等の看護情報のうち少なくとも一つを患者毎に表示するための患者表示領域を有し、ナースコール親機は、患者の手術予定、退院予定、注意事項等の患者確認事項の有無を患者表示領域において視認させる患者確認事項視認手段を有している。
【０００９】
また、本発明のナースコールシステムにおける患者確認事項視認手段として、患者表示領域にアイコンが表示されている。
【００１０】
また、本発明のナースコールシステムにおける患者確認事項視認手段として、患者表示領域の表示色を患者確認事項の有無に応じて異なる色で表示されている。
【００１１】
また、本発明のナースコールシステムにおけるナースコール親機は、患者確認事項を記憶するデータベースを有し、患者表示領域に患者確認事項の有無を表示するにあたり、タッチパネル付表示部のアイコンまたは患者表示領域をタッチ操作することにより、データベースから患者確認事項を読み出してタッチパネル付表示部に表示させるように構成されている。
【００１２】
また、本発明のナースコールシステムは、データベースから患者確認事項を読み出してタッチパネル付表示部にポップアップにて表示を行なうように構成されている。
【００１３】
また、本発明のナースコールシステムにおけるデータベースに記憶される患者確認事項は、患者確認事項が予め記憶されているオーダリングシステムのデータを転送したもので構成されている。
【００１４】
また、本発明のナースコールシステムにおけるタッチパネル付表示部のアイコンまたは患者表示領域は、ナースコール親機に予め記憶されている色から選択された表示色とするように構成されている。
【００１５】
また、本発明のナースコールシステムは、データベースに患者確認事項が入力されたとき、患者表示領域にアイコンの表示または患者表示領域の色の変更を行なうように構成されている。
【００１６】
また、本発明のナースコールシステムにおける患者確認事項視認手段は、予め定められた時間のみ表示させるように構成されている。
【００１７】
また、本発明のナースコールシステムにおける予め定められた時間は、患者ごとに設定可能に構成されている。
【００１８】
また、本発明のナースコールシステムにおけるアイコンには、患者確認事項の一部または全部が表示されるように構成されている。
【００１９】
また、本発明のナースコールシステムにおけるナースコール親機は、タッチパネル付表示部のアイコンをタッチ操作してデータベースの患者確認事項を確認した後に、アイコンを消去するように構成されている。
【００２０】
また、本発明のナースコールシステムにおけるナースコール親機は、タッチパネル付表示部をタッチ操作してデータベースの患者確認事項を確認した後に、患者確認事項が無い場合の表示色へ変更するように構成されている。
【００２１】
また、本発明のナースコールシステムにおけるナースコール親機は、タッチパネル付表示部のアイコンまたは患者表示領域を所定時間以上操作しない場合に警告音を放音するように構成されている。
【００２２】
また、本発明のナースコールシステムにおけるナースコール親機は、タッチパネル付表示部のアイコンまたは患者表示領域を所定時間以上操作しない場合にアイコンまたは患者表示領域を点滅させるように構成されている。
【００２３】
また、本発明のナースコールシステムは、病室に設置され患者が看護師を呼出すためのナースコール子機と、廊下に設置されナースコール子機から呼出しがあったとき呼出表示灯が点滅する廊下灯と、ナースステーションに設置されナースコール子機からの呼出しを報知するとともに患者と通話を行なうためのタッチパネル付表示部を有するナースコール親機と、廊下灯およびナースコール親機を制御する制御機とを有し、ナースコール親機は、医師または看護師確認事項の有無を医師・看護表示領域において視認させる医師・看護師確認事項視認手段を有している。
【００２４】
また、本発明のナースコールシステムは、医師・看護師確認事項視認手段として、医師・看護表示領域にアイコンが表示されるように構成されている。
【００２５】
また、本発明のナースコールシステムは、医師・看護師確認事項視認手段として、医師・看護表示領域の表示色が確認事項の有無に応じて異なる色で表示されるように構成されている。
【００２６】
また、本発明のナースコールシステムにおけるナースコール親機は、確認事項を記憶するデータベースを有し、医師・看護表示領域に確認事項の有無を表示するにあたり、タッチパネル付表示部のアイコンまたは医師・看護表示領域をタッチ操作することにより、データベースから確認事項を読み出してタッチパネル付表示部に表示させるように構成されている。
【００２７】
また、本発明のナースコールシステムは、データベースから確認事項を読み出してタッチパネル付表示部にポップアップにて表示を行なうように構成されている。
【００２８】
また、本発明のナースコールシステムは、データベースに記憶される確認事項は、確認事項が予め記憶されているオーダリングシステムのデータを転送したもので構成されている。
【００２９】
また、本発明のナースコールシステムにおけるタッチパネル付表示部のアイコンまたは医師・看護表示領域は、ナースコール親機に予め記憶されている色から選択された表示色とするように構成されている。
【００３０】
また、本発明のナースコールシステムは、データベースに確認事項が入力されたとき、医師・看護表示領域にアイコンの表示または医師・看護表示領域の色の変更を行なうように構成されている。
【００３１】
また、本発明のナースコールシステムにおける医師・看護師確認事項視認手段は、予め定められた時間のみ表示させるように構成されている。
【００３２】
また、本発明のナースコールシステムにおける予め定められた時間は、医師または看護師ごとに設定可能に構成されている。
【００３３】
また、本発明のナースコールシステムにおけるアイコンには、確認事項の一部または全部が表示されるように構成されている。
【００３４】
また、本発明のナースコールシステムにおけるナースコール親機は、タッチパネル付表示部のアイコンをタッチ操作してデータベースの確認事項を確認した後に、アイコンを消去するように構成されている。
【００３５】
また、本発明のナースコールシステムにおけるナースコール親機は、タッチパネル付表示部をタッチ操作してデータベースの確認事項を確認した後に、確認事項が無い場合の表示色へ変更するように構成されている。
【００３６】
また、本発明のナースコールシステムにおけるナースコール親機は、タッチパネル付表示部のアイコンまたは医師・看護表示領域を所定時間以上操作しない場合に警告音を放音するように構成されている。
【００３７】
また、本発明のナースコールシステムにおけるナースコール親機は、タッチパネル付表示部のアイコンまたは医師・看護表示領域を所定時間以上操作しない場合にアイコンまたは医師・看護表示領域を点滅させるように構成されている。
【００３８】
本発明のナースコールシステムによれば、ナースコール親機のタッチパネル付表示部に、患者表示領域を設け、当該患者表示領域に患者の手術予定、退院予定、注意事項等の患者確認事項の有無を視認させるアイコン等を表示させていることから、看護師等は患者の患者確認事項の有無を容易に視認することができ、ひいては患者の確認忘れを防止することができる。また、ナースコール親機のタッチパネル付表示部に、医師・看護表示領域を設け、当該医師・看護表示領域に、医師または看護師確認事項の有無を視認させるアイコン等を表示させた場合においては、医師または看護師は、医師または看護師確認事項の有無を容易に視認することができる。
【００３９】
【発明の実施の形態】
以下、本発明のナースコールシステムの好ましい実施の形態例について、図面を参照して説明する。ここで、図１は、本発明の一実施例におけるナースコールシステムのシステム構成図、図２は、同実施例におけるナースコール親機のブロック図、図３は、同実施例におけるナースコール親機のタッチパネル付表示部の一例を示している。
【００４０】
図１において、本発明のナースコールシステムは、病室毎に設置され患者が看護師を呼出すための複数のナースコール子機１ａ、・・・、１ｄと、廊下に設置されナースコール子機１ａ、・・・、１ｄから呼出しがあったとき呼出表示灯２１が点滅する複数の廊下灯２ａ、２ｂ、・・・と、ナースステーションに設置され、患者からの呼出しを報知するとともに通話を行なうためのナースコール親機４と、各廊下灯２ａ、２ｂ、・・・およびナースコール親機４を制御する制御機３と、患者確認事項が予め記憶されているオーダリングシステム５と、交換機６および無線基地局７と、看護師等が携帯する携帯端末８とを備えている。また、ナースコール親機４は、パーソナルコンピュータナースコール（以下「ＰＣナースコール」という。）４ａと、ナースコール通話部４ｂとを備えている。ここで、制御機３は、第１の伝送路Ｌ１を介して各廊下灯２ａ、２ｂ、・・・に、第２の伝送路Ｌ２を介してナースコール通話部４ｂに、第３の伝送路Ｌ３を介して交換機６にそれぞれ接続され、各廊下灯２ａ、２ｂ、・・・には第４の伝送路Ｌ４を介してそれぞれ対応するナースコール子機１ａ、・・・、１ｄが、交換機６には第５の伝送路Ｌ５を介して無線基地局７がそれぞれ接続されている。また、ナースコール通話部４ｂは、第６の伝送路Ｌ６を介してＰＣナースコール４ａに接続され、ＰＣナースコール４ａには第７の伝送路Ｌ７を介してオーダリングシステム５が接続されている。
【００４１】
ＰＣナースコール４ａは、図２に示すように、表示部４１ａおよびタッチパネル４１ｂから構成されるタッチパネル付表示部４２と、患者の手術予定、退院予定、注意事項等の患者確認事項や医師または看護師確認事項が記憶されているデータベース４３と、後述する患者確認事項視認手段や医師・看護師確認事項視認手段としてのアイコン等の表示時間を計時するタイマ４４と、タイマを設定するタイマ設定部４５と、通信部側インターフェイス（以下「通信部側ＩＦ」という。）４６と、オーダリングシステム側インターフェイス（以下「オーダリングシステム側ＩＦ」という。）４７と、キーボード等から構成される操作部４８と、ＰＣナースコール４ａ内の各部（回路）を制御するＣＰＵ４９とを備えている。ここで、ＣＰＵ４９は、タッチパネル付表示部４２、データベース４３、タイマ４４、タイマ設定部４５、通信部側ＩＦ４６、オーダリングシステム側ＩＦ４７および操作部４８に接続され、通信部側ＩＦ４６には第６の伝送路Ｌ６が、オーダリングシステム側ＩＦ４７には第７の伝送路Ｌ７がそれぞれ接続されている。
【００４２】
ナースコール親機４ａのタッチパネル付表示部４２は、図３（ａ）に示すように、患者表示領域４２ａや医師・看護表示領域４２ｃを有しており、患者表示領域４２ａには、図３（ｂ）に示すように、患者の氏名、性別等の患者情報や患者の看護区分、診療科目等の看護情報のうち少なくとも一つが患者毎に表示されている。
【００４３】
次に、このように構成された本発明のナースコールシステムの動作について説明する。なお、患者が看護師を呼出すためにナースコール子機１ａ、・・・、１ｄにおいて呼出ボタンを押下するとナースコール親機４や携帯端末８から呼出音が放音され、ナースコール親機４や携帯端末８において通話操作した者と患者間で通話することができる点、また、呼出中は廊下灯２ａ、２ｂ、・・・の呼出表示灯２１が点滅する点等は従来と同様であることから詳細な説明を省略し、ここでは、主として患者表示領域において患者確認事項視認手段としてのアイコン等を視認させる場合や医師・看護表示領域において看護師確認事項視認手段としてのアイコン等を視認させる例について説明する。
【００４４】
先ず、オーダリングシステム５には、予め患者の氏名、性別等の患者情報や患者の看護区分、診療科目等の看護情報等が記憶されており、このような患者情報や看護情報は第７の伝送路Ｌ７、オーダリングシステム側ＩＦ４７およびＣＰＵ４９を介してデータベース４３へ転送されている。これにより、タッチパネル付表示部４２の患者表示領域４２ａには、図３（ｂ）に示すように、患者情報や看護情報等が表示されている。なお、患者情報や看護情報は、オーダリングシステム５の情報に限らず、別途設けられたナースコール端末（不図示）、ナースコール親機４から入力された情報でもよい。
【００４５】
次に、このような状態において、ナースステーション内の看護師等がキーボード等の操作部４８を用いて、患者の患者確認事項、例えばある患者（以下「第１の患者」という。）の退院予定日「“○月○日退院予定”」入力すると、当該患者確認事項がＣＰＵ４９の制御により、データベース４３に記憶される。また、かかる患者確認事項の入力がＣＰＵ４９で認識されると、ＣＰＵ４９の制御により、第１の患者に対応する患者表示領域４２ａに、図３（ｃ）に示すように、患者確認事項視認手段としてのアイコン４２０ｂが表示される。この場合、アイコン４２０ｂには患者確認事項の全部を表示することが好ましいが、アイコン４２０ｂの表示領域が小さい場合は患者確認事項の一部のみを表示するようにしても好適である。また、アイコン４２０ｂの表示色は、操作部４８の操作により、患者ごとに好みの色を選択してもよく、或は全ての患者を一括して選択してもよい。
【００４６】
次に、アイコン４２０ｂを視認した看護師等がアイコン４２０ｂをタッチ操作すると、タッチ操作信号がＣＰＵ４９へ伝送される。そして、かかるタッチ操作信号がＣＰＵ４９で検出され、ＣＰＵ４９の制御により、データベース４３に記憶されている患者確認事項が読み出され、当該患者確認事項がタッチパネル付表示部４２に表示される。この場合、当該患者確認事項を見易くするため、ポップアップ表示とすることが好ましい。
【００４７】
以上の確認操作が終了すると、患者表示領域４２ａに表示されていたアイコン４２０ｂは自動的に消去され、患者表示領域４２ａはデータベース４３に患者確認事項が入力される前の状態、すなわち、図３（ｂ）に示す状態に戻ることになる。ここで、アイコン４２０ｂの消去はタイマ設定部４５により時間で設定してもよく、例えば、タイマ４４の計時によってタイムアップしたときに消去させるか、若しくは患者ごとに設定した日時が経過したときに消去させるようにしてもよい。
【００４８】
次に、データベース４３への患者確認事項の入力は、上記のようにＰＣナースコール４ａの操作部４８を利用して行なってもよいが、オーダリングシステム５から入力してもよい。
【００４９】
また、アイコン４２０ｂのタッチ操作が所定時間経過しても行なわれない場合には、ＣＰＵ４９の制御によって、アイコン４２０ｂを点滅させることも可能である。この場合、ＣＰＵ４９の制御によって、アイコン４２０ｂのタッチ操作が行なわれていない旨の信号（以下「非タッチ操作信号」という。）を出力し、この非タッチ操作信号を通話部側ＩＦ４６および第６の伝送路Ｌ６を介してナースコール通話部４ｂへ伝送し、当該ナースコール通話部４ｂにおいて警告音を鳴動させるようにしてもよい。
【００５０】
なお、前述の実施例においては、すべて患者表示領域４２ａにアイコン４２０ｂを表示させる場合について説明しているが、本発明はこれに限定されず、例えば、患者表示領域４２ａの表示色を患者確認事項がある患者と患者確認事項がない患者とを異なる色で表示させてもよい。この場合は、患者確認事項の確認後における患者表示領域４２ａの表示色の変更は、患者確認事項がない場合の色に戻すようにすればよい。
【００５１】
以上の実施例においては、患者表示領域４２ａに患者確認事項視認手段としてのアイコン４２０ｂを表示させ、これを看護師等に視認させているが、図３（ｄ）に示すように、医師・看護表示領域４２ｃに医師・看護師確認事項視認手段としてアイコン４２０ｃを表示させ、これを医師や看護師に視認させて医師や看護師自身の確認事項を、前述の場合と同様なことを行なうことにより確認させるようにしてもよい。
【００５２】
なお、前述の実施例においては、病室内に４台のナースコール子機を設置した場合について説明しているが、ナースコールシステムの規模に応じてその台数を増減してもよい。
【００５３】
【発明の効果】
以上の説明から明らかなように、本発明のナースコールシステムによれば、ナースコール親機のタッチパネル付表示部に、患者表示領域を設け、当該患者表示領域に患者の手術予定、退院予定、注意事項等の患者確認事項の有無を視認させるアイコン等を表示させていることから、看護師等は患者の患者確認事項の有無を容易に視認することができ、ひいては患者の確認忘れを防止することができる。また、ナースコール親機のタッチパネル付表示部に、医師・看護表示領域を設け、当該医師・看護表示領域に、医師または看護師確認事項の有無を視認させるアイコン等を表示させた場合においては、医師または看護師は、医師または看護師確認事項の有無を容易に視認することができる。
【図面の簡単な説明】
【図１】本発明の一実施例におけるナースコールシステムのシステム構成図。
【図２】本発明の一実施例におけるナースコール親機のブロック図。
【図３】図３（ａ）は本発明の一実施例におけるタッチパネル付表示部の説明図、図３（ｂ）は本発明の一実施例における患者表示領域の説明図、図３（ｃ）は、本発明の一実施例における患者表示領域に患者確認事項視認手段としてのアイコンを表示させた場合の説明図、図３（ｄ）は、本発明の一実施例における医師・看護表示領域に医師・看護師確認事項視認手段としてのアイコンを表示させた場合の説明図を示している。
【符号の説明】
１ａ、・・・、１ｄ・・・ナースコール子機
２ａ、２ｂ・・・廊下灯
２１・・・呼出表示灯
３・・・制御機
４・・・ナースコール親機
４２・・・タッチパネル付表示部
４１ｂ・・・タッチパネル
４２ａ・・・患者表示領域
４２０ｂ・・・アイコン（患者確認事項視認手段）
４２ｃ・・・医師・看護表示領域
４２０ｃ・・・アイコン（医師・看護師確認事項視認手段）
４３・・・データベース
５・・・オーダリングシステム
【図１】
2004304552.tif 000003
【図２】
2004304552.tif 000004
【図３】
2004304552.tif 000005